(57)【特許請求の範囲】
【請求項１】
２本の平行な逆Ｔ字状をした天井支持主バーとこの天井支持主バーと直交する逆Ｔ字状をした天井支持副バーとで囲まれた部分の上方位置に天井照明器具本体の両側に取付け脚を取付けた天井照明器具を配置して取付け脚の下端部を対向する天井支持主バーの頭部に取付けると共に取付け脚に対して天井照明器具本体を上下に位置変更自在とし、照明器具本体の長手方向の両端部に設けられるソケット間において照明器具本体に取付けられる反射板の長手方向の端部をエンドプレートで閉塞し、天井照明器具の下方位置において天井支持副バーの水平片の上方位置に配置される胴部片の上端に上横片を設けたスペーサの上横片の先端部から上方に向けて逆Ｕ字状をした引掛け部を突設し、この逆Ｕ字状をした引っ掛け部を天井支持副バーの頭部に引っ掛け、逆Ｕ字状の引っ掛け部の上記上横片側の側面に天井照明器具のエンドプレートを近接させると共にエンドプレートをスペーサの上横片の上方において近接又は上横片の上面に当接させ、上方に移動させた天井照明器具の下方位置に配置した平面視矩形状をしたオプション部材の両端部を天井支持主バーの水平片に載置し、オプション部材の他方の両端部をスペーサの胴部片に近接させると共にオプション部材に設けた落下防止具をスペーサに設けた被係止部に係止して成ることを特徴とするシステム天井用照明器具のオプション部材取付け構造。
【請求項２】
共通の天井支持副バーの縦片を介して両水平片の上方位置にそれぞれ同一形状のスペーサを配置すると共に両側のスペーサの各引っ掛け部をそれぞれ天井支持副バーの頭部に引っ掛け、片方のスペーサに設けた引っ掛け部が他方のスペーサの引っ掛け部を突出していない部分に位置することを特徴とする請求項１記載のシステム天井用照明器具のオプション部材取付け構造。
【発明の詳細な説明】
【０００１】
【産業上の利用分野】
本発明は、システム天井用照明器具においてルーバなどのオプション部材を取付けるための技術に関する。
【０００２】
【従来の技術】
従来のシステム天井用照明器具は２本の平行な逆Ｔ字状をした天井支持主バー１ａとこの天井支持主バー１ａと直交する逆Ｔ字状をした天井支持副バー１ｂとで囲まれた部分の上方位置に天井照明器具３が配設してある。そして、天井照明器具３は取付け脚１３の下端部を天井支持主バー１ａの頭部６に上方からはめ込んで取付け、この取付け脚１３に対してねじ１４により天井照明器具本体３ａが上下方向の異なる位置で取付けることができるようになっている。このような照明器具において、ルーバなどのオプション部材８を取付ける場合には、次の点を注意する必要がある。すなわち、オプション部材８を天井支持主バー１ａの水平片２に載せかけ方式で取付ける場合、載せた後で天井支持副バー１ｂ側の方向にずれないようにスペーサ４を天井支持副バー１ｂの水平片２の上に載置する必要がある。また、このスペーサ４が落下しないようにする必要がある。また、天井照明器具のエンドプレート７と反射板１７との突き合わせ部分に隙間が生じないようにエンドプレート７を反射板１７側に押し付ける必要がある。更に、オプション部材８自体の落下防止をする必要がある。
【０００３】
従来にあっては、上記の注意点に鑑みて図７のような部品を用いてシステム天井用照明器具においてルーバなどのオプション部材８を図５、図６のようにして取付けていた。すなわち、▲１▼まず、天井照明器具３のランプ１９、反射板１７、エンドプレート７を外す。▲２▼次に、天井照明器具３の取付け脚のねじを緩めて天井照明器具本体３ａを上段に上げてこの位置でねじ１４を締める。▲３▼次に天井支持主バー１ａに図７（ｃ）に示すオプション部材８に設けた落下防止金具３０を引っ掛ける。▲４▼次に天井支持主バー１ａに図７（ａ）に示すスペーサ落下防止金具３１を引っ掛け、スペーサ４を天井支持副バー１ｂの水平片２に載置する（これは▲３▼の前にすることも可能である）。▲５▼次にエンドプレート７、反射板１７、ランプ１９を元通り天井照明器具本体３ａに取付ける。▲６▼次にオプション部材８の両端部を対向する天井支持主バー１ａの水平片２上に片側ずつ載せ、オプション部材８の他方の両端部を天井支持副バー１ｂの水平片２に載置したスペーサ４に接近させる。
【０００４】
上記のような従来例においては、ルーバなどのオプション部材８を取付けるには図７（ａ）に示すようなスペーサ４にスペーサ落下防止金具３１を取付けたもの、エンドプレート押さえ金具３２、オプション部材８に取付ける落下防止金具３０がそれぞれ別々に必要であって、部品点数が多くなり、コストが高くなり、また、オプション部材８を清掃などのために下まで下ろそうとすると、反射板１７、ランプ１９を外すという余計な作業が必要となる（通常、落下防止金具３０の紐はオプション部材８の枠の孔に結び付けられていて簡単には解けないため）。この紐を別部品によりオプション部材８の枠側で簡単に外れるようにしておけば、反射板１７などを外す手間は省けるが、部品追加によるコストアップはまぬがれない。また、上記▲４▼の施工段階においては、スペーサ４自身の載置とスペーサ落下防止金具３１の引っ掛けとはそれぞれ干渉せずに行えるので、場合によってはスペーサ４は取付けても落下防止の施工を省かれるおそれがある。
【０００５】
また、システム天井用照明器具においてオプション部材を取付ける他の従来例として特開平３ー２１０７０２号公報が知られている。この従来例にあっては、照明器具を上方に移動させた状態で照明器具の下端部にスペーサを係止手段で係止すると共にスペーサを天井支持副バーの水平片に載置し、更に、このスペーサが移動しないようにスペーサと直交する取付け長枠をねじにより固定していた。この従来例にあっては、別途取付け長枠を必要とするため部材点数が増してコストアップになると共にねじでスペーサと取付け長枠とを連結する手間が必要である。
【０００６】
【発明が解決しようとする課題】
本発明は上記の従来例の問題点に鑑みて発明したものであって、その目的とするところは、部品点数が少なくてコストダウンがはかれ、エンドプレートと反射板との突き合わせ部分の隙間防止やオプション部材の移動防止、スペーサの落下防止等が簡略な構成ででき、更にスペーサの落下防止の施工を忘れることがなく、また、同一形状のスペーサを共通の天井支持副バーの両側に配置しても支障なく取付けることができるシステム天井用照明器具のオプション部材取付け構造を提供するにある。
【０００７】
【課題を解決するための手段】
上記従来例の問題点を解決するため、本発明のシステム天井用照明器具のオプション部材取付け構造は、２本の平行な逆Ｔ字状をした天井支持主バー１ａとこの天井支持主バー１ａと直交する逆Ｔ字状をした天井支持副バー１ｂとで囲まれた部分の上方位置に天井照明器具本体３ａの両側に取付け脚１３を取付けた天井照明器具３を配置して取付け脚１３の下端部を対向する天井支持主バー１ａの頭部６に取付けると共に取付け脚１３に対して天井照明器具本体３ａを上下に位置変更自在とし、照明器具本体３ａの長手方向の両端部に設けられるソケット１６間において照明器具本体３ａに取付けられる反射板１７の長手方向の端部をエンドプレート７で閉塞し、天井照明器具３の下方位置において天井支持副バー１ｂの水平片２の上方位置に配置される胴部片の上端に上横片を設けたスペーサ４の上横片の先端部から上方に向けて逆Ｕ字状をした引掛け部５を突設し、この逆Ｕ字状をした引っ掛け部５を天井支持副バー１ｂの頭部６に引っ掛け、逆Ｕ字状の引っ掛け部５の上記上横片側の側面に天井照明器具３のエンドプレート７を近接させると共にエンドプレート７をスペーサ４の上横片の上方において近接又は上横片の上面に当接させ、上方に移動させた天井照明器具３の下方位置に配置した平面視矩形状をしたオプション部材８の両端部を天井支持主バー１ａの水平片２に載置し、オプション部材８の他方の両端部をスペーサ４の胴部片に近接させると共にオプション部材８に設けた落下防止具９をスペーサ４に設けた被係止部１０に係止して成ることを特徴とするものである。
【０００８】
また、共通の天井支持副バー１ｂの縦片１１を介して両水平片２にそれぞれ同一形状のスペーサ４を載置すると共に両側のスペーサ４の各引っ掛け部５をそれぞれ天井支持副バー１ｂの頭部６に引っ掛け、片方のスペーサ４に設けた引っ掛け部５が他方のスペーサ４の引っ掛け部５を突出していない部分に位置することも好ましい。
【０００９】
【作用】
しかして、上記のような構成の本発明によれば、上方に移動させた天井照明器具３の下方位置において天井支持副バー１ｂの水平片２の上方位置に配置されるスペーサ４の上部に突設し引っ掛け部５を天井支持副バー１ｂの頭部６に引っ掛け、引っ掛け部５の側面に天井照明器具３のエンドプレート７を近接させ、上方に移動させた天井照明器具３の下方位置に配置したオプション部材８の両端部を天井支持主バー１ａの水平片２に載置し、オプション部材８の他方の両端部をスペーサ４に接近させると共にオプション部材８に設けた落下防止具９をスペーサ４に設けた被係止部１０に係止することで、スペーサ４自体に、スペーサ４の落下防止機能と、オプション部材８の落下防止機能と、オプション部材８の移動防止機能と、天井照明器具３のエンドプレート７と反射板１７間に隙間ができないようにする機能とを備えさせ、このことにより、部品点数を削減し、施工も簡略化できるようになったものである。
【００１０】
また、共通の天井支持副バー１ｂの縦片１１を介して両水平片２の上方位置にそれぞれ同一形状のスペーサ４を配置すると共に両側のスペーサ４の各引っ掛け部５をそれぞれ天井支持副バー１ｂの頭部６に引っ掛け、片方のスペーサ４に設けた引っ掛け部５が他方のスペーサ４の引っ掛け部５を突出していない部分に位置する構成とすることで、同一形状のスペーサ４を共通の天井支持副バー１ｂの縦片１１を介して両水平片２の上方位置に配置して引っ掛け部５を頭部６に引っ掛けても何等支障がないものである。
【００１１】
【実施例】
本発明を以下図１乃至図４に示す図面に基づいて詳述する。本発明において、逆Ｔ字状をした天井支持主バー１ａが一定間隔を隔てて平行に配置してある。また、上記天井支持主バー１ａ間には天井支持主バー１ａと直交する逆Ｔ字状をした天井支持副バー１ｂが架設してある。この平行な天井支持主バー１ａと、これと直交する天井支持副バー１ｂとで囲まれた部分の上方位置には天井照明器具３が配設してある。この天井照明器具３は図２に示すように、天井照明器具本体３ａの天井支持主バー１ａに沿った方の両端部に取付け脚１３を取付け、この取付け脚１３の下端部を対向する天井支持主バー１ａの頭部６にはめ込んで取付けてある。ここで、取付け脚１３の下端部にはＬ状片１３ａと下端がレ字状に屈曲した垂下片１３ｂとが設けてあり、Ｌ状片１３ａと垂下片１３ｂとで頭部６を挟み、垂下片１３ｂの下端のレ字状部を頭部６の下面に係止して上方に抜けないようにしてある。照明器具本体３ａは取付け脚１３に対してねじ１４により上下方向の異なる位置で固定できるようになっており、例えば取付け脚１３に長孔（図示せず）を形成し、長孔の下端部でねじ１４で照明器具本体３ａを取付けた場合には照明器具本体３ａの下端部が天井支持主バー１ａや天井支持主バー１ｂの水平片２上に載置され、長孔の上端部でねじ１４で照明器具本体３ａを取付けた場合には照明器具本体３の下端と水平片２との間にルーバのようなオプション部材８の上下長さよりも少し上下長さが長い隙間が形成される。
【００１２】
照明器具本体３ａには安定器ボックス１５、照明器具本体３ａの長手方向の両端部に設けられるソケット１６、両ソケット１６間において照明器具本体３ａに着脱自在に取付けられる反射板１７、反射板１７の長手方向の端部とソケット１６との間に介在して取付けられ反射板１７の端部を閉塞するエンドプレート７とが設けてある。また１９はランプである。ここで、反射板１７はねじ２０などで着脱自在に取付けられ、エンドプレート７は図１に示すように上端部の横片２１を反射板１７に載置してあるので、反射板１７を取り外すことでエンドプレート７も取り外すことができるようになっている。
【００１３】
図３にはルーバのようなオプション部材８を取付ける際に使用するスペーサ４が示してあり、断面コ字状のスペーサ４の上横片の先端部から上方に向けて逆Ｕ字状をした引っ掛け部５が一体に突設してある。またスペーサ４の胴部片には被係止部１０となる係止孔が設けてある。
オプション部材８は例えばルーバであり、長手方向の両端部の上面側にひも２３を結束してあり、この紐２３の先端に落下防止具９が取付けてある。
【００１４】
しかして、オプション部材８を取付けるに当たっては、まず、天井照明器具３のランプ１９、反射板１７、エンドプレート７を外す。次に、天井照明器具３の取付け脚１３のねじ１４を緩めて天井照明器具本体３ａを上段に上げてこの位置でねじ１４を締める。ここまでは従来と同じである。次に、図３に示すスペーサ４の引っ掛け部５を天井支持副バー１ｂの頭部６に引っ掛けると共にスペーサ４を天井支持副バー１ｂの水平片２の上方位置に配置する。この場合、水平片２の上にスペーサ４が載置されるようにしてもよい。次にエンドプレート７、反射板１７、ランプ１９を元通りに取付ける。この場合、図１に示すように、引っ掛け部５の側面に天井照明器具３のエンドプレート７を近接させることで、エンドプレート７と反射板１７との間に隙間が生じないようになっている。また、この状態ではエンドプレート７がスペーサ４の上横片の直ぐ上に位置し（上横片にエンドプレート７を当接させてもよい）スペーサ４が上方に抜けるのを防止している。次に、オプション部材８の落下防止具９をスペーサ４の胴部片に設けた被係止部１０となる係止孔に引っ掛け係止する。次に、オプション部材８の両端部を天井支持主バー１ａの水平片２に片側ずつ乗せ、同時にオプション部材８の他方の両端部を天井支持副バー１ｂの水平片２に載置したスペーサ４に接近させるのである。このことによりオプション部材８が天井支持副バー１ｂ側にずれようとしてもスペーサ４に当たってずれが防止されることになる。
【００１５】
ところで、スペーサ４の引っ掛け部５を天井支持副バー１ｂの頭部６に引っ掛けた時点ではスペーサ４は上方に抜けることができるのでスペーサ４の落下防止機能は働いていないが、次に取付けられた天井照明器具３のエンドプレート７をスペーサ４の上部に近接しスペーサ４の上方への抜けを防止することになってスペーサ４の落下防止機能が働くことになる。このように施工者としてはスペーサ４の落下防止のための特別な施工を別途行う必要がないものである。
【００１６】
そして、スペーサ４の引っ掛け部５を引っ掛ける天井支持副バー１ｂの頭部６はエンドプレート７により隠れる位置にあるため、エンドプレート７が取り付いている状態ではスペーサ４を取付けることはできない。言い換えれば、スペーサ４を取付けるときには必ずエンドプレート７を取り外さなければならないので、スペーサ４の落下防止が忘れられないことになる。
【００１７】
また、本発明のスペーサ４は図４に示すように、共通の天井支持副バー１ｂの縦片１１を介して両水平片２の上方位置にそれぞれ同一形状のスペーサ４を配置すると共に両側のスペーサ４の各引っ掛け部５をそれぞれ天井支持副バー１ｂの頭部６に引っ掛け、片方のスペーサ４に設けた引っ掛け部５が他方のスペーサ４の引っ掛け部５を突出していない部分に位置する構成となっている。つまり、図４のように共通の天井支持副バー１ｂの両側に対向して取付けた場合、引っ掛け部５が対向状態において点対称となるように設けてある。このため、図４のように共通の天井支持副バー１ｂを挟んで両側に取付けることができ、この結果、器具配置の制約を受けることがないものである。
【００１８】
【発明の効果】
本発明にあっては、上述のように、２本の平行な逆Ｔ字状をした天井支持主バーとこの天井支持主バーと直交する逆Ｔ字状をした天井支持副バーとで囲まれた部分の上方位置に天井照明器具本体の両側に取付け脚を取付けた天井照明器具を配置して取付け脚の下端部を対向する天井支持主バーの頭部に取付けると共に取付け脚に対して天井照明器具本体を上下に位置変更自在とし、照明器具本体の長手方向の両端部に設けられるソケット間において照明器具本体に取付けられる反射板の長手方向の端部をエンドプレートで閉塞し、天井照明器具の下方位置において天井支持副バーの水平片の上方位置に配置される胴部片の上端に上横片を設けたスペーサの上横片の先端部から上方に向けて逆Ｕ字状をした引掛け部を突設し、この逆Ｕ字状をした引っ掛け部を天井支持副バーの頭部に引っ掛け、逆Ｕ字状の引っ掛け部の上記上横片側の側面に天井照明器具のエンドプレートを近接させると共にエンドプレートをスペーサの上横片の上方において近接又は上横片の上面に当接させ、上方に移動させた天井照明器具の下方位置に配置した平面視矩形状をしたオプション部材の両端部を天井支持主バーの水平片に載置し、オプション部材の他方の両端部をスペーサの胴部片に近接させると共にオプション部材に設けた落下防止具をスペーサに設けた被係止部に係止してあるので、スペーサを施工するのみで、エンドプレートと反射板の突き合わせ部分の隙間発生防止ができると共に、オプション部材が天井支持副バー側にずれようとしてもスペーサの胴部片に当たってオプション部材の移動防止を達成できるものであり、また、スペーサの引っ掛け部を天井支持副バーの頭部に引っ掛けた時点ではスペーサは上方に抜けることができるのでスペーサの落下防止機能は働いていないが、次に取付けられた天井照明器具のエンドプレートをスペーサの上部に近接しスペーサの上方への抜けを防止することになってスペーサの落下防止機能が働くことになり、このように施工者としてはスペーサの落下防止のための特別な施工を別途行う必要がない、また、このようにスペーサの落下防止に当たってはエンドプレートが行うことになって、別途スペーサの落下防止のための特別な落下防止のための部材を必要としないものであり、また、スペーサの引っ掛け部を引っ掛ける天井支持副バーの頭部はエンドプレートにより隠れる位置にあるため、エンドプレートが取り付いている状態ではスペーサを取付けることはできず、言い換えれば、スペーサを取付けるときには必ずエンドプレートを取り外さなければならないので、スペーサの落下防止が忘れられないことになる。このように、天井照明器具の基本部品であるエンドプレートを取付けることでスペーサの落下防止が行われるので、間違い無く安全性が確保されるものである。上記のように本発明においては、部品点数が少なく、コストダウンが図れ、施工性が向上し、しかも、落下防止が確実にできるものである。
【００１９】
また、共通の天井支持副バーの縦片を介して両水平片の上方位置にそれぞれ同一形状のスペーサを配置すると共に両側のスペーサの各引っ掛け部をそれぞれ天井支持副バーの頭部に引っ掛け、片方のスペーサに設けた引っ掛け部が他方のスペーサの引っ掛け部を突出していない部分に位置する構成としたものにおいては、スペーサを共通の天井支持副バーをはさんで配置したオプション部材を連結できることになり、器具配置の制約を受けることがないものである。
【図面の簡単な説明】
【図１】本発明の正面断面図である。
【図２】同上の側面断面図である。
【図３】同上に用いるスペーサの斜視図である。
【図４】同上のスペーサを天井支持副バーの両側に配置した例を示す斜視図である。
【図５】従来例を示す一部破断した正面図である。
【図６】従来例を示す側面断面図である。
【図７】（ａ）（ｂ）（ｃ）は従来用いられた各部品を示す斜視図である。
【符号の説明】
１ａ  天井支持主バー
１ｂ  天井支持副バー
２  水平片
３  天井照明器具
４  スペーサ
５  引っ掛け部
６  頭部
７  エンドプレート
８  オプション部材
９  落下防止具
１０  被係止部
【図１】
0003596031.tif 000002
【図２】
0003596031.tif 000003
【図３】
0003596031.tif 000004
【図４】
0003596031.tif 000005
【図５】
0003596031.tif 000006
【図６】
0003596031.tif 000007
【図７】
0003596031.tif 000008